(57)【要約】【課題】既設の位相制御式調光器を用いた場合に、調光・調色特性を既存の照明灯具（例えば白熱灯等）のそれに近づけることができ、違和感の少ない調光・調色を可能とするＬＥＤ駆動回路等を提供する。【解決手段】位相制御式調光器により位相制御された調光信号が入力され、色調の異なる複数のＬＥＤ負荷を有する発光部を制御するＬＥＤ駆動回路であって、入力された前記調光信号に基づき前記ＬＥＤ負荷に流す各電流を調整することにより前記発光部の調光および調色を行う調光／調色部を備えるＬＥＤ駆動回路とする。【選択図】図１
2012134001.tif 000002
【特許請求の範囲】
【請求項１】
位相制御式調光器により位相制御された調光信号が入力され、色調の異なる複数のＬＥＤ負荷を有する発光部を制御するＬＥＤ駆動回路であって、
入力された前記調光信号に基づき前記ＬＥＤ負荷に流す各電流を調整することにより前記発光部の調光および調色を行う調光／調色部を備えることを特徴とするＬＥＤ駆動回路。
【請求項２】
前記ＬＥＤ負荷は白色ＬＥＤ負荷と赤色ＬＥＤ負荷であることを特徴とする請求項１に記載のＬＥＤ駆動回路。
【請求項３】
前記調光／調色部は、前記調光信号の位相角が増加するに従い、前記発光部の光量と色温度を下げることを特徴とする請求項１または請求項２に記載のＬＥＤ駆動回路。
【請求項４】
前記調光信号の位相角を検出する位相角検出部を備え、前記位相角検出部は、前記調光信号の平均電圧を検出することにより位相角を検出することを特徴とする請求項１〜請求項３のいずれかに記載のＬＥＤ駆動回路。
【請求項５】
前記調光信号の位相角を検出する位相角検出部を備え、前記位相角検出部は、前記調光信号と参照電圧を比較してパルス信号を生成し、生成されたパルス信号のデューティ比を検出することにより位相角を検出することを特徴とする請求項１〜請求項３のいずれかに記載のＬＥＤ駆動回路。
【請求項６】
前記発光部の光量および色温度を検出する検出部を備え、前記調光／調色部は、前記検出部により検出された光量および色温度に基づき、前記発光部の光量および色温度が前記調光信号に応じた目標光量および目標色温度になるよう調光および調色を行うことを特徴とする請求項１〜請求項５のいずれかに記載のＬＥＤ駆動回路。
【請求項７】
前記調光／調色部は、前記各ＬＥＤ負荷を時分割で発光させることを特徴とする請求項６に記載のＬＥＤ駆動回路。
【請求項８】
前記各ＬＥＤ負荷の発光期間は同一で一定であり、前記各ＬＥＤ負荷の発光強度は可変であることを特徴とする請求項７に記載のＬＥＤ駆動回路。
【請求項９】
前記各ＬＥＤ負荷の発光強度は同一で一定であり、前記各ＬＥＤ負荷の発光期間は可変であることを特徴とする請求項７に記載のＬＥＤ駆動回路。
【請求項１０】
前記検出部は、光量センサを有し、前記各ＬＥＤ負荷の発光タイミングから発光期間を積分時間として前記光量センサの出力を積分して前記各ＬＥＤ負荷の各光量を検出することを特徴とする請求項７〜請求項９のいずれかに記載のＬＥＤ駆動回路。
【請求項１１】
前記調光信号が低電圧となったことを検出する低電圧検出部と、前記低電圧検出部が低電圧を検出すると前記ＬＥＤ負荷に電源を供給する電源供給ラインから電流を引抜く電流引抜部と、を備えることを特徴とする請求項１〜請求項１０のいずれかに記載のＬＥＤ駆動回路。
【請求項１２】
前記調光信号のエッジを検出するエッジ検出部と、前記エッジ検出部がエッジを検出すると前記ＬＥＤ負荷に電源を供給する電源供給ラインから電流を引抜く電流引抜部と、を備えることを特徴とする請求項１〜請求項１１のいずれかに記載のＬＥＤ駆動回路。
【請求項１３】
外部光の照度および／または色温度を検出する検出部を備え、前記調光／調色部は、前記各ＬＥＤ負荷を時分割で発光させ、前記各ＬＥＤ負荷が発光しない期間における前記検出部の検出結果に応じて前記各ＬＥＤ負荷の光量を調整することを特徴とする請求項１に記載のＬＥＤ駆動回路。
【請求項１４】
請求項１〜請求項１３のいずれかに記載のＬＥＤ駆動回路と、前記ＬＥＤ駆動回路の出力側に接続された色調の異なる複数のＬＥＤ負荷と、を備えることをＬＥＤ照明灯具。
【発明の詳細な説明】
【技術分野】
【０００１】
本発明は、ＬＥＤ（Light Emitting Diode）を駆動するＬＥＤ駆動回路およびこれを用いたＬＥＤ照明灯具に関する。
【背景技術】
【０００２】
ＬＥＤは低消費電流で長寿命などの特徴を有し、表示装置だけでなく照明器具等にもその用途が広がりつつある。なお、ＬＥＤ照明器具では、所望の照度を得るために、複数個のＬＥＤを使用する場合が多い。
【０００３】
一般的な照明器具は商用交流電源を使用することが多く、白熱電球などの一般的な照明灯具に代えてＬＥＤ照明灯具を使用する場合を考慮すると、ＬＥＤ照明灯具も一般的な照明灯具と同様に商用交流電源を使用する構成であることが望ましい。
【０００４】
また、白熱電球を調光制御しようとした場合、スイッチング素子（一般的にはサイリスタ素子やトライアック素子）を交流電源電圧のある位相角でオンすることにより白熱電球への電源供給をボリューム一つで簡単に調光制御できる位相制御式調光器（一般的に白熱ライコンと呼ばれている）が用いられている。しかしながら、白熱電球を位相制御式調光器で調光する場合において、ワット数の小さな白熱電球と調光器を接続するとちらつきや点滅が生じ正常に調光できないことが知られている。
【０００５】
交流電源使用のＬＥＤ照明灯具を調光制御しようとした場合、既存の白熱灯用の位相制御式調光器をそのまま接続できることが望ましい。調光用の設備は既存のままで、灯具のみをＬＥＤ照明灯具にすることにより、白熱灯に比較すると大幅な低消費電力化が可能になる。また、調光用の設備をＬＥＤ照明灯具専用のものに変更することなく互換性を確保でき、設備コストの低減につながる。
【先行技術文献】
【特許文献】
【０００６】
【特許文献１】特開平６−７６９６０号公報
【特許文献２】特開２００４−３２７１５２号公報
【特許文献３】特開２００６−３１９１７２号公報
【特許文献４】特開２０１０−１５７４５４号公報
【発明の概要】
【発明が解決しようとする課題】
【０００７】
ここで、交流電源を用いたＬＥＤ照明灯具を調光制御することができるＬＥＤ照明システムの従来例を図２３に示す。図２３に示すＬＥＤ照明システムは、商用交流電源１と、位相制御式調光器２と、ダイオードブリッジＤＢ１および電流制限部３を有するＬＥＤ駆動回路と、ＬＥＤを直列に接続したＬＥＤアレイ４とを備えている。位相制御式調光器２では、半固定抵抗Ｒｖａｒ１の抵抗値を可変させることにより、抵抗値に依存した電源位相角でトライアックＴｒｉ１をオンさせる。通常、半固定抵抗Ｒｖａｒ１は回転つまみやスライド式になっており、つまみの回転角を変えたり、スライド位置を変えることにより、照明灯具の調光制御ができるようになっている。さらに、位相制御式調光器２では、コンデンサＣ１とインダクタＬ１による雑音抑制回路が構成され、位相制御式調光器２から交流電源ラインに帰還する雑音を低減している。図２４に位相制御式調光器２の位相角が０°、４５°、９０°、１３５°に対応する調光器の出力波形とダイオードブリッジＤＢ１の出力波形を示す。位相角が大きくなるに従い、ダイオードブリッジＤＢ１の出力電圧の平均値が小さくなる。位相制御式調光器２にＬＥＤ照明灯具を接続すると調光器の位相角が大きくなるに従い、明るさが暗くなることになる。
【０００８】
位相制御式調光器２の位相角を大きくして、ＬＥＤの明るさを暗くしていった場合、ダイオードブリッジＤＢ１の出力電圧がＬＥＤアレイ４の光り始めの順方向電圧（ＶＦ）よりも小さくなった場合、ＬＥＤアレイ４が光らなくなり調光器に流れる電流が急激に減少する。調光器に流れる電流が急激に減少すると、調光器内部のトライアックＴｒｉ１のオン保持電流を下回るため、トライアックＴｒｉ１がオフして調光器の出力が停止して不安定になり、ＬＥＤアレイ４の明るさにちらつきが発生する。また、調光器出力が位相制御されて、トライアックＴｒｉ１がオフからオンになるときに、ＬＥＤがオフからオンになりＬＥＤのインピーダンスが急激に低下する。これにより調光器の出力電圧が急激に変化するエッジ部分にリンギングが発生することがある。このため、位相制御式調光器対応のＬＥＤ照明システムでは、ＬＥＤが光っていない時は、トライアックＴｒｉ１がオフしないように、保持電流を強制的に流す電流引抜き回路を用いるが、引抜電流がすべて熱に変換されるため、ＬＥＤ照明システムの効率が悪化し、放熱対策も必要となる。
【０００９】
なお、従来の白熱灯負荷を接続した場合は、負荷がタングステン等のフィラメントのため位相制御式調光器２のトライアックＴｒｉ１がオフからオンに切り替わっても、インピーダンスの変動が少なく、インピーダンスが低い状態を保ったままであり、位相制御式調光器２に流れる電流が急激に変化することなく、交流電源が０Ｖ付近まで安定した調光動作が可能である。
【００１０】
また、図２３に示す従来例の場合、ダイオードブリッジＤＢ１の出力電圧がＬＥＤアレイ４の光り始めの順方向電圧（ＶＦ）よりも低い時にはＬＥＤがオフし、交流電源の周波数が６０Ｈｚの場合、ダイオードブリッジＤＢ１で全波整流されるため、交流電源周波数の倍の周波数の１２０ＨｚでＬＥＤがオン／オフを繰り返すことになる。このＬＥＤのオン／オフがフリッカの原因となり、スポーツ競技等の早い動きを見るときに視線を急に動かした場合にちらつきを感じやすくなり、問題となることがある。白熱灯の場合、フィラメントの応答速度は０．１秒程度のため、１２０Ｈｚのオン／オフ動作では反応しないため、上記のフリッカが目立ちにくい。しかし、ＬＥＤの応答速度は白熱灯のフィラメントの応答速度の１００万倍以上あるため、フリッカが目立ちやすい傾向がある。
【００１１】
さらに、図２３で示す従来のＬＥＤ照明システムおよび白熱灯照明システムにおける位相制御式調光器の位相角θと照明の明るさの関係（調光カーブ）を図２５に示す。従来のＬＥＤ照明システムでは位相角θ＝０°〜４５°で明るさの変化が全くなく、θ＝４５°以上ではリニアに光量が減少して、θ＝１３０°で消灯する。白熱灯の場合はθ＝０°から緩やかに光量が低下し、θ＝５０°〜１００°までは従来のＬＥＤ照明システムの調光カーブと並行して光量が減少し、θ＝１２０°〜１５０°で緩やかに光量が低下するという特徴がある。人間の目は対数的な明るさの感じ方を持っているため、低照度できめ細かに光量を調整しようとすると、位相角θに対して緩やかに光量が低下する特性が重要となる。従来のＬＥＤ照明システムではθ＝１３０°付近で急に暗くなってしまうため、位相角が１２０°〜１５０°付近の光量のコントロールが、白熱灯に比較するときめ細かにできないという問題があった。
【００１２】
近年、位相制御式調光器に対応できるように、位相制御式調光器内のトライアックがオフして、調光器が誤動作しないように電流を引抜くことにより、既設の位相制御式調光器と組み合わせても、ちらつきが少ないＬＥＤ照明灯具が考案されている。しかし、位相制御式調光器に白熱灯やハロゲンランプを接続したときと同じように、明るさや色温度が変化しないために、違和感を感じることが問題となっている。たとえば、位相制御式調光器に白熱灯を接続した場合、明るい時は色温度が高く、調光器のボリュームを絞って位相角を大きくしていくと、色温度が低くなる特性がある。白色ＬＥＤを位相制御式調光器に接続した場合は、明るさにかかわらず光の色温度はほぼ一定となってしまう。また、位相制御式調光器の位相角の変化による明るさの変化についても、低照度時に白熱灯は緩やかに消灯するのに対して、調光器対応のＬＥＤ照明灯具は低照度時の明るさの変化が大きく、微妙な明るさのコントロールが難しいという問題点がある。
【００１３】
ＬＥＤ照明灯具においても、専用の調光器を用いて、色温度や光量を調整することができる灯具があるが、専用の調光器を取り付けるための工事が必要となる。また、照明設計は白熱灯など既存の照明器具に合わせて行われているため、既設の設備にＬＥＤ照明灯具を接続した場合、当初の照明設計で意図された通りの動作が行われずに、照明下で作業している人間が不快感を覚えたりする場合がある。既設の設備や照明デザインの設計資産を活用するためにも、調光器にＬＥＤ照明灯具を接続したときに、既存の照明灯具（白熱灯やハロゲンランプ等）とほぼ同じ調光・調色特性を有するＬＥＤ照明灯具の要望が市場からある。
【００１４】
本発明は、上記問題点を鑑み、既設の位相制御式調光器を用いた場合に、調光・調色特性を既存の照明灯具（例えば白熱灯等）のそれに近づけることができ、違和感の少ない調光・調色を可能とするＬＥＤ駆動回路等を提供することを目的とする。また、位相制御式調光器の誤動作によるＬＥＤのちらつきを抑えることや、ＬＥＤ照明灯具の個体差による色ずれや明るさの差を低減することも本発明の目的とする。
【課題を解決するための手段】
【００１５】
上記目的を達成するために本発明は、位相制御式調光器により位相制御された調光信号が入力され、色調の異なる複数のＬＥＤ負荷を有する発光部を制御するＬＥＤ駆動回路であって、
入力された前記調光信号に基づき前記ＬＥＤ負荷に流す各電流を調整することにより前記発光部の調光および調色を行う調光／調色部を備える構成とする。
【００１６】
このような構成によれば、既設の位相制御式調光器を用いた場合に、調光・調色特性を既存の照明灯具（例えば白熱灯等）のそれに近づけることができ、違和感の少ない調光・調色を可能とする。
【００１７】
また、前記ＬＥＤ負荷は白色ＬＥＤ負荷と赤色ＬＥＤ負荷である構成としてもよい。
【００１８】
また、前記調光／調色部は、前記調光信号の位相角が増加するに従い、前記発光部の光量と色温度を下げる構成としてもよい。
【００１９】
また、前記調光信号の位相角を検出する位相角検出部を備え、前記位相角検出部は、前記調光信号の平均電圧を検出することにより位相角を検出する構成としてもよい。
【００２０】
また、前記調光信号の位相角を検出する位相角検出部を備え、前記位相角検出部は、前記調光信号と参照電圧を比較してパルス信号を生成し、生成されたパルス信号のデューティ比を検出することにより位相角を検出する構成としてもよい。
【００２１】
また、前記発光部の光量および色温度を検出する検出部を備え、前記調光／調色部は、前記検出部により検出された光量および色温度に基づき、前記発光部の光量および色温度が前記調光信号に応じた目標光量および目標色温度になるよう調光および調色を行う構成としてもよい。
【００２２】
また、前記調光／調色部は、前記各ＬＥＤ負荷を時分割で発光させる構成としてもよい。
【００２３】
また、前記各ＬＥＤ負荷の発光期間は同一で一定であり、前記各ＬＥＤ負荷の発光強度は可変である構成としてもよい。
【００２４】
また、前記各ＬＥＤ負荷の発光強度は同一で一定であり、前記各ＬＥＤ負荷の発光期間は可変である構成としてもよい。
【００２５】
また、前記検出部は、光量センサを有し、前記各ＬＥＤ負荷の発光タイミングから発光期間を積分時間として前記光量センサの出力を積分して前記各ＬＥＤ負荷の各光量を検出する構成としてもよい。
【００２６】
また、前記調光信号が低電圧となったことを検出する低電圧検出部と、前記低電圧検出部が低電圧を検出すると前記ＬＥＤ負荷に電源を供給する電源供給ラインから電流を引抜く電流引抜部と、を備える構成としてもよい。
【００２７】
また、前記調光信号のエッジを検出するエッジ検出部と、前記エッジ検出部がエッジを検出すると前記ＬＥＤ負荷に電源を供給する電源供給ラインから電流を引抜く電流引抜部と、を備える構成としてもよい。
【００２８】
また、外部光の照度および／または色温度を検出する検出部を備え、前記調光／調色部は、前記各ＬＥＤ負荷を時分割で発光させ、前記各ＬＥＤ負荷が発光しない期間における前記検出部の検出結果に応じて前記各ＬＥＤ負荷の光量を調整する構成としてもよい。
【００２９】
また、本発明のＬＥＤ照明灯具は、上記いずれかの構成のＬＥＤ駆動回路と、前記ＬＥＤ駆動回路の出力側に接続された色調の異なる複数のＬＥＤ負荷と、を備える構成とする。
【発明の効果】
【００３０】
本発明によると、既設の位相制御式調光器を用いた場合に、調光・調色特性を既存の照明灯具（例えば白熱灯等）のそれに近づけることができ、違和感の少ない調光・調色を可能とする。
【図面の簡単な説明】
【００３１】
【図１】本発明の第１実施形態に係るＬＥＤ照明システムの全体構成を示す図である。
【図２】ＬＥＤ駆動回路の一構成例を示す図である。
【図３】電流の引抜き制御を示す波形例を示す図である。
【図４】電流の引抜き制御を示す波形例を示す図である。
【図５】本発明の第３実施形態に係るＬＥＤ照明システムの全体構成を示す図である。
【図６】本発明の第４実施形態に係るＬＥＤ照明システムの全体構成を示す図である。
【図７】位相制御された入力電圧と平均電圧の関係を示す図である。
【図８】位相制御式調光器の位相角と入力電圧の平均電圧との関係を示すグラフである。
【図９】入力電圧と位相角検出部の出力するパルス信号の波形例を示す図である。
【図１０】位相制御式調光器の位相角とパルス信号のデューティ比との関係を示すグラフである。
【図１１】Ｒ、Ｇ、Ｂの各ＬＥＤアレイの発光パターンの一例を示す図である。
【図１２】Ｒ、Ｇ、Ｂの各ＬＥＤアレイの発光パターンの一例を示す図である。
【図１３】Ｒ、Ｇ、Ｂの各ＬＥＤアレイの発光パターンの一例を示す図である。
【図１４】白熱灯の入力電圧と出力光量との関係を示すグラフである。
【図１５】白熱灯の入力電圧と出力光の色温度との関係を示すグラフである。
【図１６】白熱灯を位相制御式調光器に接続した場合の位相角と光量との関係を示すグラフである。
【図１７】白熱灯を位相制御式調光器に接続した場合の位相角と色温度との関係を示すグラフである。
【図１８】三刺激値の等色関数を示すグラフである。
【図１９】ｘｙ色度図におけるプランク軌跡を示すグラフである。
【図２０】ｘｙ色度図におけるプランク軌跡周辺を拡大したグラフである。
【図２１】調光／調色部の構成例を示す図である。
【図２２】調光／調色部の別の構成例を示す図である。
【図２３】従来のＬＥＤ照明システムの全体構成を示す図である。
【図２４】位相制御式調光器の出力波形とダイオードブリッジの出力波形を示す図である。
【図２５】位相制御式調光器の位相角と光束との関係を示すグラフである。
【発明を実施するための形態】
【００３２】
（第１実施形態）
以下に本発明の実施形態を図面を参照して説明する。本発明の第１実施形態に係るＬＥＤ照明システムの全体構成を図１に示す。図１に示すように、本発明に係るＬＥＤ照明システムは、商用交流電源１と、位相制御式調光器２と、ヒューズＦ１と、サージ対策用素子ＮＲ１と、ダイオードブリッジＤＢ１と、調光・調色機能を有するＬＥＤ駆動回路５と、発光部６とを備えている。商用交流電源１は、位相制御式調光器２およびヒューズＦ１を介してダイオードブリッジＤＢ１に接続され、商用交流電源１の一端とヒューズＦ１の一端の間にサージ対策用素子ＮＲ１が接続される。そして、ダイオードブリッジＤＢ１の出力側にＬＥＤ駆動回路５が接続され、ＬＥＤ駆動回路５の出力側に発光部６が接続される。位相制御式調光器２は、上記図２３で示した素子から構成される。
【００３３】
発光部６は、Ｒ（赤色）の発光波長の光を発する赤色ＬＥＤアレイＲと、Ｇ（緑色）の発光波長の光を発する緑色ＬＥＤアレイＧと、Ｂ（青色）の発光波長の光を発する青色ＬＥＤアレイＢとから構成される。赤色ＬＥＤアレイＲは、ＬＥＤ駆動回路５から出力電圧ＶＯＵＴが出力される出力端子Ｔ１とＲ端子Ｔ２との間に接続される。緑色ＬＥＤアレイＧは、出力端子Ｔ１とＧ端子Ｔ３との間に接続される。青色ＬＥＤアレイＢは、出力端子Ｔ１とＢ端子Ｔ４との間に接続される。ＬＥＤ駆動回路での損失を最小限に抑えるため、Ｒ、Ｇ、Ｂの各ＬＥＤアレイの順方向電圧の差はできるだけ小さい方が望ましい。
【００３４】
なお、ＬＥＤ駆動回路５と、発光部６と、ダイオードブリッジＤＢ１とがＬＥＤ照明灯具を構成することになり、ＬＥＤ照明灯具の一例としてはＬＥＤ電球などが挙げられる
【００３５】
商用交流電源１は正弦波の交流電圧を出力し、電圧は国によって異なり、１００Ｖ〜２５０Ｖ、周波数は５０Ｈｚ、６０Ｈｚが存在する。交流電圧が位相制御式調光器２に入力されると、調光するためのボリュームの回転やスライド動作に従って、交流波形の或る位相ポイントを切り欠くような波形を生成する。位相制御式調光器２の出力波形はダイオードブリッジＤＢ１により全波整流され、入力周波数の倍（５０Ｈｚの場合１００Ｈｚ、６０Ｈｚの場合１２０Ｈｚ）の周波数をもつ脈動波形がＬＥＤ駆動回路５の入力端子Ｔ０に入力される。
【００３６】
ＬＥＤ駆動回路５は、上記脈動波形を有する入力電圧ＶＩＮの位相角を検出し、検出された位相角に応じて赤色ＬＥＤアレイＲ、緑色ＬＥＤアレイＧ、青色ＬＥＤアレイＢに流す電流の電流値を制御することにより、発光部６の光量および色温度を調整することができる。
【００３７】
ここで、ＬＥＤ駆動回路５の一構成例を図２に示す。図２に示すＬＥＤ駆動回路５は、低電圧検出部７と、第１電流引抜部８と、エッジ検出部９と、第２電流引抜部１０と、位相角検出部１１と、昇圧／平滑回路１２と、調光／調色部１３とを有している。昇圧／平滑回路１２は、入力電圧ＶＩＮを昇圧および平滑して直流電圧を生成し、発光部６の各ＬＥＤアレイを駆動制御する。なお、昇圧動作は行わずに平滑回路のみでもよい。平滑回路により直流電圧に近いリップルの少ない電圧にすることで、フリッカを低減することが可能である。ここで、容量を用いた平滑回路のみの場合は力率が悪化するため、力率の悪化を防ぐためには昇圧動作を行うことが望ましい。
【００３８】
低電圧検出部７は、入力電圧ＶＩＮがしきい電圧より低くなり、昇圧動作ができない低電圧になったことを検出すると、その検出信号を第１電流引抜部８に出力する。すると、第１電流引抜部８は、位相制御式調光器２の保持電流よりも大きな電流を発光部６に電源を供給する電源供給ラインＬＮ１から引き抜くことにより、位相制御式調光器２の誤動作を抑えることができる。また、入力電圧ＶＩＮが低電圧になったときに電流を引き抜くために効率の低下を抑えることができる。
【００３９】
また、エッジ検出部９は、入力電圧ＶＩＮの立ち上がりを検出すると、その検出信号を第２電流引抜部１０に出力する。すると、第２電流引抜部１０は、第１電流引抜部８よりも大きなパルス状の電流を電源供給ラインＬＮ１から引き抜くことにより、位相制御式調光器２の共振による誤動作を防止することができる。
【００４０】
図３に位相制御式調光器２の位相角が４５°の時の入力電圧ＶＩＮ（上段）と第１電流引抜部８および第２電流引抜部１０による引抜電流波形（下段）を示す。第１引抜電流Ｉ１が第１電流引抜部８による引抜電流波形で、第２引抜電流Ｉ２が第２電流引抜部１０による引抜電流波形である。また、図４のように、第２引抜電流Ｉ２の波形を台形波にしてもよく、これによれば位相制御式調光器２の共振による誤動作の抑制効果が高い場合がある。また、台形波にすることにより、第２引抜電流Ｉ２の大きさを小さくできる場合があり、第２引抜電流Ｉ２による効率低下を低減できることがある。上記二つの電流引抜部により位相制御式調光器２の誤動作を防止し、結果として光のちらつきを抑制することができる。
【００４１】
また、位相角検出部１１により入力電圧ＶＩＮの位相角即ち、位相制御式調光器２の位相角を検出し、検出された位相角に応じて発光部６の各色ＬＥＤアレイに流す電流の電流値を調光／調色部１３により調整することで、位相角に対応した光量や色温度の光を発光部６により出力することを可能としている。
【００４２】
位相角検出部１１が位相角を検出する方法の一例を、図７、図８を用いて説明する。図７は、１００Ｖの商用交流電源１を接続した位相制御式調光器２の位相角が０°、４５°、９０°、１３５°の時の入力電圧ＶＩＮの波形と平均電圧を示した図である。位相角が大きくなるに従い平均電圧が小さくなっていくため、この平均電圧を検出することにより位相制御式調光器２の位相角を検出することが可能となる。図８に位相制御式調光器２の位相角と平均電圧の関係を示す。位相角検出部１１は、検出した平均電圧に応じた位相角情報（電圧レベル、デジタル信号等）を出力する。
【００４３】
また、位相角検出部１１が位相角を検出する方法の別の一例を図９、図１０を用いて説明する。図９に示すように、位相角検出部１１は、入力電圧ＶＩＮと参照電圧Ｖｒｅｆを比較し、入力電圧ＶＩＮが参照電圧Ｖｒｅｆを超えている部分でＨｉｇｈレベルとするパルス信号を生成して出力する。図１０に、位相角制御式調光器２の位相角とパルス信号のデューティ比の関係を示す。パルス信号のデューティ比は調光器の位相角に対して線形の特性を持つため、精密に位相角を検出することができる。調光／調色部１３および昇圧／平滑回路１２が、パルス信号のデューティ比を検出する。
【００４４】
ここで、位相制御式調光器２に白熱灯を接続した場合の光量と色温度の変化について説明する。図１４は、白熱灯の入力電圧と出力光量の関係を示したものであり、入力電圧が上昇するに従い、光量が増加する特性を示す。図１５は、白熱灯の入力電圧と出力光の色温度の関係を示した図である。入力電圧を下げていくと、色温度が低くなり、入力電圧を上げていくと色温度が高くなる特性を示す。図１４と図１５の特性を基にして、白熱灯を位相制御式調光器２に接続した場合の位相角と光量、色温度の関係を図１６、図１７に示す。調光／調色部１３は、位相角検出部１１の出力に応じて、即ち検出された位相角に応じて発光部６の各色ＬＥＤアレイに流す電流の電流値を調整することで、位相角と発光部６の出力光の光量、色温度との関係を図１６、図１７に示す白熱灯の場合の調光特性、調色特性に一致するよう制御する。また、昇圧／平滑回路１２は、位相角検出部１１の出力に応じて、即ち検出された位相角に応じて出力電圧を調整する。
【００４５】
ここで、光量と色温度を調整する方法について詳細に述べる。ＬＥＤは光量と駆動電流はほぼ比例関係にあるため、Ｒ、Ｇ、Ｂの各色ＬＥＤアレイの光量は駆動電流で制御することができる。Ｒ，Ｇ，Ｂの各ＬＥＤアレイに流れる電流をそれぞれＩｒ、Ｉｇ、Ｉｂとすると、それぞれのＬＥＤアレイの光量は駆動電流の関数となり、
Φｒ（Ｉｒ）
Φｇ（Ｉｇ）
Φｂ（Ｉｂ）
と表される。よって、発光部６全体の光量ΦはＲ、Ｇ、Ｂの各色ＬＥＤアレイの光量の和になり、
Φ＝Φｒ（Ｉｒ）＋Φｇ（Ｉｇ）＋Φｂ（Ｉｂ）
となる。従って、Ｒ、Ｇ、Ｂの各色ＬＥＤアレイに流す電流の電流値を位相検出部１１の出力に応じて制御することにより、明るさを調整することができる。
【００４６】
次に発光部６から発光される光の色温度の制御について説明する。或る一定の電流ＩｏをＲ、Ｇ、Ｂの各色ＬＥＤアレイに流した場合に各色ＬＥＤアレイから発光される光の分光特性は、光の波長λの関数として表すことができ、
Ｒｏ（λ）
Ｇｏ（λ）
Ｂｏ（λ）
と表現できる。
【００４７】
Ｒ、Ｇ、Ｂの各色ＬＥＤアレイに流れる電流をそれぞれＩｒ、Ｉｇ、Ｉｂとすると、３種類のＬＥＤアレイの光が混合した光源全体の分光特性Ｐ（λ）は
Ｐ（λ）＝（Ｉｒ・Ｒｏ（λ）＋Ｉｇ・Ｇｏ（λ）＋Ｉｂ・Ｂｏ（λ））／Ｉｏ
と表現される。
【００４８】
上記のＰ（λ）の分光特性をもった光源のｘｙ色度図上の座標は、図１８に示す三刺激値の等色関数から求めることができる。Ｘ（λ）、Ｙ（λ）、Ｚ（λ）の３種類の分光特性を持った各受光素子にＰ（λ）の分光特性をもつ光が入射したときの各出力をＩＰＤ＿Ｘ、ＩＰＤ＿Ｙ、ＩＰＤ＿Ｚとすると、
ＩＰＤ＿Ｘ＝∫Ｐ（λ）・Ｘ（λ）・ｄλ
ＩＰＤ＿Ｙ＝∫Ｐ（λ）・Ｙ（λ）・ｄλ
ＩＰＤ＿Ｚ＝∫Ｐ（λ）・Ｚ（λ）・ｄλ
となる。ｘｙ色度図上の座標ｘ、ｙは
ｘ＝ＩＰＤ＿Ｘ／（ＩＰＤ＿Ｘ＋ＩＰＤ＿Ｙ＋ＩＰＤ＿Ｚ）
ｙ＝ＩＰＤ＿Ｙ／（ＩＰＤ＿Ｘ＋ＩＰＤ＿Ｙ＋ＩＰＤ＿Ｚ）
と表される。よって、Ｐ（λ）のｘｙ色度図上の座標はＲ、Ｇ、Ｂの各色ＬＥＤアレイに流す電流Ｉｒ、Ｉｇ、Ｉｂを可変させることによって移動させることができる。
【００４９】
図１９は、黒体輻射光源の色温度が変化したときのｘｙ色度図上の軌跡を示すグラフであり、この軌跡はプランク軌跡と呼ばれている。波長が４５０ｎｍ付近の青成分が相対的に大きくなると、ＩＰＤ＿Ｚが増加してｘ、ｙがそれぞれ小さくなるために、色温度は高くなる。また、波長が６００ｎｍ付近の赤成分が相対的に大きくなるとＩＰＤ＿Ｘが増加してｘ、ｙがそれぞれ大きくなるため、色温度が低くなる。Ｐ（λ）のｘｙ色度図上の座標をプランク軌跡に沿うように、Ｉｒ、Ｉｇ、Ｉｂを可変させることにより任意の色温度の光を出力させることが可能になる。
【００５０】
ここで、
Ｐ（λ）＝（（Ｉｒ／Ｉｇ）・Ｒｏ（λ）＋Ｇｏ（λ）＋（Ｉｂ／Ｉｇ）・Ｂｏ（λ））・（Ｉｇ／Ｉｏ）
と表されることから、光源のｘｙ色度図上の座標であるｘ、ｙは（Ｉｒ／Ｉｇ）、（Ｉｂ／Ｉｇ）の関数となる。（Ｉｒ／Ｉｇ）と（Ｉｂ／Ｉｇ）を一定値に保つことにより、色温度は変えずに光量を可変させることができ、光量と色温度は独立に制御することが可能となる。
【００５１】
上記のように、調光／調色部１３は、検出された位相角に応じてＲ、Ｇ、Ｂの各色ＬＥＤアレイに流れる電流Ｉｒ、Ｉｇ、Ｉｂを調整して、位相制御式調光器２の位相角と光量、色温度の関係が図１６、図１７に示す調光特性、調色特性に一致するように制御する。これにより、白熱灯と同じ調光・調色特性を得ることができ、既存の調光設備に白熱灯の代わりにＬＥＤ照明灯具を接続しても、違和感がほとんどなく、低消費電力化することが可能となる。また、各色ＬＥＤアレイに流す電流は直流電流ではなく、平均電流がＩｒ、Ｉｇ、Ｉｂになるようなパルス状の電流であってもよい。
【００５２】
ＬＥＤアレイに流す電流を直流電流とする場合の調光／調色部１３の構成例を図２１に示す。図２１に示す調光／調色部１３は、ＬＥＤ電流設定部１３ａと、電圧源ＶＩＲ、ＶＩＧ、ＶＩＢと、オペアンプＡＭＰ１、ＡＭＰ２、ＡＭＰ３と、ＮｃｈＭＯＳトランジスタＴＲ１、ＴＲ２、ＴＲ３と、抵抗ＲＩＲ、ＲＩＧ、ＲＩＢとを有している。Ｒ端子Ｔ２にＮｃｈＭＯＳトランジスタＴＲ１のソースが接続され、ドレインが抵抗ＲＩＲの一端に接続され、ゲートにオペアンプＡＭＰ１の出力が接続される。抵抗ＲＩＲの他端は接地される。オペアンプＡＭＰ１の非反転端子には電圧源ＶＩＲが接続され、反転端子にはＮｃｈＭＯＳトランジスタＴＲ１のドレインと抵抗ＲＩＲとの接続点が接続される。Ｇ端子Ｔ３、Ｂ端子Ｔ４についての構成も同様であるので詳述を省く。
【００５３】
Ｒ端子Ｔ２、Ｇ端子Ｔ３並びにＢ端子Ｔ４に流れる電流はそれぞれ
Ｉ（Ｔ２）＝ＶＩＲ／ＲＩＲ
Ｉ（Ｔ３）＝ＶＩＧ／ＲＩＧ
Ｉ（Ｔ４）＝ＶＩＢ／ＲＩＢ
となる。従って、ＬＥＤ電流設定部１３ａは、検出された位相角に応じてＶＩＲ、ＶＩＧ、ＶＩＢを制御することでＲ、Ｇ、Ｂの各色ＬＥＤアレイに流す電流を制御できる。
【００５４】
また、ＬＥＤアレイに流す電流をパルス状電流とする場合の調光／調色部１３の構成例を図２２に示す。図２２に示す調光／調色部１３は、ＬＥＤ電流設定部１３ａと、パルス電圧源ＶＩＲ、ＶＩＧ、ＶＩＢと、オペアンプＡＭＰ１、ＡＭＰ２、ＡＭＰ３と、ＮｃｈＭＯＳトランジスタＴＲ１、ＴＲ２、ＴＲ３と、抵抗ＲＩＲ、ＲＩＧ、ＲＩＢとを有している。Ｒ端子Ｔ２にＮｃｈＭＯＳトランジスタＴＲ１のソースが接続され、ドレインが抵抗ＲＩＲの一端に接続され、ゲートにオペアンプＡＭＰ１の出力が接続される。抵抗ＲＩＲの他端は接地される。オペアンプＡＭＰ１の非反転端子にはパルス電圧源ＶＩＲが接続され、反転端子にはＮｃｈＭＯＳトランジスタＴＲ１のドレインと抵抗ＲＩＲとの接続点が接続される。Ｇ端子Ｔ３、Ｂ端子Ｔ４についての構成も同様であるので詳述を省く。
【００５５】
各パルス電圧源の振幅をＶＩＲ、ＶＩＧ、ＶＩＢとし、各パルス電圧源のデューティ比をＤＩＲ、ＤＩＧ、ＤＩＢとすると、Ｒ端子Ｔ２、Ｇ端子Ｔ３並びにＢ端子Ｔ４に流れるパルス状電流の平均電流はそれぞれ
Ｉ（Ｔ２）＝ＤＩＲ・ＶＩＲ／ＲＩＲ
Ｉ（Ｔ３）＝ＤＩＧ・ＶＩＧ／ＲＩＧ
Ｉ（Ｔ４）＝ＤＩＢ・ＶＩＢ／ＲＩＢ
となる。従って、ＬＥＤ電流設定部１３ａは、検出された位相角に応じて各パルス電圧源の振幅またはデューティ比を制御することでＲ、Ｇ、Ｂの各色ＬＥＤアレイに流す電流を制御できる。
【００５６】
さらに、このようなＬＥＤ照明システムを用いて調光器の位相角による色温度の変化をダイナミックに変化させることも可能である。例えば、調光器の位相角が小さい時には、色温度が高い昼光色や昼白色で、位相角が大きい時には電球色にして、白熱灯よりも広い範囲で照明の色温度を変化させるような設定も可能となり、利用範囲を広げることができる。より具体的には例えば、図１７の位相角による色温度の変化を位相角が０°の時は昼光色の色温度が６５００Ｋ、位相角が６０°の時には昼白色の色温度が５０００Ｋ、位相角が１５０°の時には電球色の色温度が２８００Ｋとなるように、Ｉｒ、Ｉｇ、Ｉｂを制御することにより光源の色温度を変化させることができる。上述した白熱灯を接続した場合の調光器の位相角による色温度の変化に一致させる制御を行うのに比較して、位相角が小さいときはＩｂの相対値（Ｉｂ／Ｉｇ）をより大きくすることにより色温度を上げることができ、白熱灯よりも広い範囲で光源の色温度を変化させるような設定が可能となり、利用範囲を広げることができる。
【００５７】
（第２実施形態）
図２で示した発光部６におけるＲ、Ｇ、Ｂの各色ＬＥＤアレイを白色ＬＥＤアレイと赤色ＬＥＤアレイの２種類にしても良い。位相制御式調光器２の位相角に応じて白色ＬＥＤアレイと赤色ＬＥＤアレイに流す電流の電流値を制御することにより、位相角と光量、色温度との関係を白熱灯の場合の調光・調色特性に近づけることができる。
【００５８】
ここで、光量と色温度を調整する方法について詳細に述べる。ＬＥＤの光量と駆動電流は比例関係にあるため、白色、赤色の各ＬＥＤアレイの光量は駆動電流で制御することができる。白色、赤色の各ＬＥＤアレイに流れる電流をそれぞれＩｗ、Ｉｒとすると、それぞれのＬＥＤアレイの光量は駆動電流の関数となり、
Φｗ（Ｉｗ）
Φｒ（Ｉｒ）
と表される。よって、発光部６全体の光量Φは白色、赤色の各ＬＥＤアレイの光量の和になり
Φ＝Φｗ（Ｉｗ）＋Φｒ（Ｉｒ）
となる。各ＬＥＤアレイに流す電流を、位相検出部１１の出力に応じて制御することにより、明るさを調整することができる。
【００５９】
次に色温度の制御について説明する。或る一定の電流Ｉｏを白色、赤色の各ＬＥＤアレイに流した場合に、各ＬＥＤアレイから発光される光の分光特性は光の波長λの関数として表すことができ、
Ｗｏ（λ）
Ｒｏ（λ）
と表現できる。白色、赤色の各ＬＥＤアレイに流れる電流をそれぞれＩｗ、Ｉｒとすると、２種類のＬＥＤアレイの光が混合した光源全体の分光特性Ｐ（λ）は
Ｐ（λ）＝（Ｉｗ・Ｗｏ（λ）＋Ｉｒ・Ｒｏ（λ））／Ｉｏ
と表現される。
【００６０】
上記のＰ（λ）の分光特性をもった光源のｘｙ色度図上の座標は図１８の三刺激値の等色関数から求めることができる。Ｘ（λ）、Ｙ（λ）、Ｚ（λ）の３種類の分光特性を持った各受光素子にＰ（λ）の分光特性をもつ光が入射したときの出力をＩＰＤ＿Ｘ、ＩＰＤ＿Ｙ、ＩＰＤ＿Ｚとすると、
ＩＰＤ＿Ｘ＝∫Ｐ（λ）・Ｘ（λ）・ｄλ
ＩＰＤ＿Ｙ＝∫Ｐ（λ）・Ｙ（λ）・ｄλ
ＩＰＤ＿Ｚ＝∫Ｐ（λ）・Ｚ（λ）・ｄλ
となる。ｘｙ色度図上の座標ｘ、ｙは
ｘ＝ＩＰＤ＿Ｘ／（ＩＰＤ＿Ｘ＋ＩＰＤ＿Ｙ＋ＩＰＤ＿Ｚ）
ｙ＝ＩＰＤ＿Ｙ／（ＩＰＤ＿Ｘ＋ＩＰＤ＿Ｙ＋ＩＰＤ＿Ｚ）
と表される。
【００６１】
Ｐ（λ）のｘｙ色度図上の座標は白色、赤色の各ＬＥＤアレイに流す電流Ｉｗ、Ｉｒを可変させることによって移動させることができる。赤色ＬＥＤアレイに流す電流、すなわちＩｒを小さくすると色温度が上がり、Ｉｒを大きくすると色温度が下がる。第１実施形態のようにＲ、Ｇ、Ｂの三原色を用いれば、ｘｙ色度図上の座標をプランク軌跡に完全に沿うように制御することは可能であるが、Ｉｗ、Ｉｒを可変させる場合はパラメータが二つになるため、Ｐ（λ）のｘｙ色度図上の座標をプランク軌跡に完全に沿うようにすることはできない。しかし、プランク軌跡から或る範囲にあれば、ｘｙ色度図上の座標がプランク軌跡に完全に一致しなくても光源の色温度は定義できるため、実用上問題とならないことが多い。
【００６２】
図２０は、図１９のグラフにおいてプランク軌跡の部分を拡大した図であり、市販の照明装置（蛍光灯（Ｆ１〜Ｆ１２）、標準光源（Ａ光源、Ｂ光源、Ｃ光源、Ｄ５０光源、Ｄ５５光源、Ｄ６５光源、Ｄ７５光源））から出力される光のｘｙ座標をｘｙ色度図上にプロットしている。実際、図２０に示すように標準光源においてもプランク軌跡に完全に一致しているわけではない。
【００６３】
ｘｙ色度図上の座標から色温度を算出するＭｃＣａｍｙ’ｓ  Ｆｏｍｕｌａが知られており、これは
色温度＝４４９ｎ3＋３５２５ｎ2＋６８２３．３ｎ＋５５２０．３３
ｎ＝（ｘ−０．３３２０）／（０．１８５８−ｙ）
と表され、ｘｙ色度図上の座標から色温度を求めることができる。
【００６４】
また、
Ｐ（λ）＝（Ｗｏ（λ）＋（Ｉｒ／Ｉｗ）・Ｒｏ（λ））／（Ｉｗ／Ｉｏ）
と表されることから、（Ｉｒ／Ｉｗ）を一定値に保つことにより、色温度は変えずに光量を可変させることができることから、光量と色温度は独立に制御できることができる。上記のように、位相角検出部１１により検出された位相角に応じて白色、赤色の各ＬＥＤアレイに流れる電流Ｉｒ、Ｉｗを制御することにより、位相制御式調光器２の位相角と光量、色温度との関係を白熱灯の場合の調光・調色特性に近づけることができ、Ｒ、Ｇ、Ｂの３種類のＬＥＤアレイを使用する場合に比較してコストを抑えることができる。
【００６５】
（第３実施形態）
本発明の第３実施形態に係るＬＥＤ照明システムの全体構成を図５に示す。ＬＥＤ照明システムの調光／調色部１３にカラーセンサ１４を接続することにより、Ｒ、Ｇ、Ｂの各ＬＥＤアレイから構成される発光部６が出力する光の光量、色温度をリアルタイムに計測してフィードバック制御を行う。これにより、非常に精密な光量、色温度の制御を可能としている。
【００６６】
ここで、カラーセンサ１４による光量、色温度の検出について説明する。図１８は光源のｘｙ色度図上の座標を求めるための基本となる三刺激値の分光特性を示している。カラーセンサ１４は、Ｘ（λ）、Ｙ（λ）、Ｚ（λ）の分光特性を持つ各受光素子を有しており、これらの各受光素子を用いることにより光源の色温度および光量を測定することができる。Ｘ（λ）、Ｙ（λ）、Ｚ（λ）の分光特性を持つ各受光素子に任意の照明装置の光が入射した場合の出力をそれぞれＩＰＤ＿Ｘ、ＩＰＤ＿Ｙ、ＩＰＤ＿Ｚとすると、下記の演算により、入射光の色味を表すｘｙ色度図上の座標を求めることができる。
ｘ＝ＩＰＤ＿Ｘ／（ＩＰＤ＿Ｘ＋ＩＰＤ＿Ｙ＋ＩＰＤ＿Ｚ）
ｙ＝ＩＰＤ＿Ｙ／（ＩＰＤ＿Ｘ＋ＩＰＤ＿Ｙ＋ＩＰＤ＿Ｚ）
【００６７】
さらに、Ｙ（λ）は標準視感度に一致した分光特性を持つため、ＩＰＤ＿Ｙを用いて光源の光量を見積もることができる。
【００６８】
また、カラーセンサ１４の各受光素子の分光感度特性が三刺激値に対応していなくても、変換行列を用いてｘｙ色度図に座標変換できる。
【００６９】
上記のようにカラーセンサ１４によりｘｙ色度図の座標（即ち色温度）と光量を測定し、調光／調色部１３は、測定された色温度と光量に基づき、発光部６の光量と色温度が位相角に応じた目標光量と目標色温度となるようＲ、Ｇ、Ｂの各色ＬＥＤアレイに流す電流の電流値を制御する。これにより、ＬＥＤ照明灯具の個体差による色ずれや明るさの差を低減することができる。
【００７０】
（第４実施形態）
本発明の第４実施形態に係るＬＥＤ照明システムの全体構成を図６に示す。図６に示すＬＥＤ照明システムでは、調光／調色部１３に光量センサ１５を接続する。この場合、調光／調色部１３は、初期はまず位相角検出部１１により検出された位相角に応じた目標光量、目標色温度となるようなＲ、Ｇ、Ｂの各色ＬＥＤアレイの各電流Ｉｒ、Ｉｇ、Ｉｂに平均電流がなるようパルス状の電流を流す。この際、電流を流すオン期間を各色ＬＥＤアレイで同じとし、Ｒ、Ｇ、Ｂの順番にオン期間をずらす。これにより、図１１に示すようにＲ、Ｇ、Ｂの各ＬＥＤアレイで発光タイミングがずれ、発光期間は同じで発光強度を異ならせることができる。
【００７１】
そして、調光／調色部１３は、Ｒ、Ｇ、Ｂ領域に感度を有する広い分光感度特性を持つ光量センサ１５の出力をそれぞれの発光タイミングで積分時間を各発光期間として積分することによりＲ、Ｇ、Ｂの各ＬＥＤアレイの各光量を検出する。検出された各光量の和をとると発光部６の光量が検出される。また、Ｒ、Ｇ、Ｂの各ＬＥＤアレイを時分割で発光させ、発光した光が光量センサ１５に入力された場合の光量センサ１５の平均出力をそれぞれＩｐｄ＿Ｒ、Ｉｐｄ＿Ｇ、Ｉｐｄ＿Ｂとする。すると、予め実験的に求められた変換行列を用いて下記の式により近似的にｘｙ色度図上の座標（色温度）を求めることができる。
【数１】
2012134001.tif 000003
【００７２】
調光／調色部１３は、検出された光量と色温度に基づき、発光部６の光量と色温度が位相角に応じた目標光量と目標色温度となるようＲ、Ｇ、Ｂの各ＬＥＤアレイの発光期間は一定のまま発光強度を調整する。これにより、非常に精密な光量、色温度の制御を可能とし、照明灯具の個体差による色ずれや明るさの差を低減することができる。
【００７３】
また、上述した実施形態の変形例として、各色ＬＥＤアレイで流す電流は同じとしてオン期間を異ならせても良い。これにより、図１２に示すように各色ＬＥＤアレイで発光強度は同じで発光期間が異なる。そして、調光／調色部１３は、光量センサ１５の出力をそれぞれの発光タイミングで積分時間を各発光期間として積分することにより各ＬＥＤアレイの各光量を検出する。この場合、調光／調色部１３は、検出された光量と色温度に基づき、発光部６の光量と色温度が位相角に応じた目標光量と目標色温度となるようＲ、Ｇ、Ｂの各ＬＥＤアレイの発光強度は一定のまま発光期間を調整する。
【００７４】
（第５実施形態）
図１３に示すようにＲ、Ｇ、Ｂの各ＬＥＤアレイの発光タイミングをずらすと共に、いずれのＬＥＤアレイも発光していない期間Ｔ１を設け、この期間に光量センサ１５またはカラーセンサ１４により外部光を検出してもよい。例えば、部屋のカーテンが開いており、太陽光が差し込んでいて照明灯具を点灯しなくても十分明るい場合、光量センサ１５により外部光の照度を検出することで、Ｒ、Ｇ、Ｂの各ＬＥＤアレイの光量を抑える。これにより、省エネルギー効果を得ることができる。また、カラーセンサ１４により外部光の照度と色温度を検出することで、Ｒ、Ｇ、Ｂの各ＬＥＤアレイの光量を制御し、発光部６を適切な光量および色温度に調整することも可能である。
【符号の説明】
【００７５】
１  商用交流電源
２  位相制御式調光器
３  電流制限部
４  ＬＥＤアレイ
５  ＬＥＤ駆動回路
６  発光部
７  低電圧検出部
８  第１電流引抜部
９  エッジ検出部
１０  第２電流引抜部
１１  位相角検出部
１２  昇圧／平滑回路
１３  調光／調色部
１４  カラーセンサ
１５  光量センサ
ＤＢ１  ダイオードブリッジ
Ｆ１  ヒューズ
ＮＲ１  サージ対策用素子
Ｒ  赤色ＬＥＤアレイ
Ｇ  緑色ＬＥＤアレイ
Ｂ  青色ＬＥＤアレイ
Ｔ０  入力端子
Ｔ１  出力端子
Ｔ２  Ｒ端子
Ｔ３  Ｇ端子
Ｔ４  Ｂ端子
ＡＭＰ１、ＡＭＰ２、ＡＭＰ３  オペアンプ
ＴＲ１、ＴＲ２、ＴＲ３  ＮｃｈＭＯＳトランジスタ
ＲＩＲ、ＲＩＧ、ＲＩＢ  抵抗
ＶＩＲ、ＶＩＧ、ＶＩＢ  電圧源
【図１】
2012134001.tif 000004
【図２】
2012134001.tif 000005
【図３】
2012134001.tif 000006
【図４】
2012134001.tif 000007
【図５】
2012134001.tif 000008
【図６】
2012134001.tif 000009
【図７】
2012134001.tif 000010
【図８】
2012134001.tif 000011
【図９】
2012134001.tif 000012
【図１０】
2012134001.tif 000013
【図１１】
2012134001.tif 000014
【図１２】
2012134001.tif 000015
【図１３】
2012134001.tif 000016
【図１４】
2012134001.tif 000017
【図１５】
2012134001.tif 000018
【図１６】
2012134001.tif 000019
【図１７】
2012134001.tif 000020
【図１８】
2012134001.tif 000021
【図１９】
2012134001.tif 000022
【図２０】
2012134001.tif 000023
【図２１】
2012134001.tif 000024
【図２２】
2012134001.tif 000025
【図２３】
2012134001.tif 000026
【図２４】
2012134001.tif 000027
【図２５】
2012134001.tif 000028